(57)【要約】【課題】複数枚のボード建材を突き合わせ配置し、止めビスを複数枚のボード建材の突合端部間に配置して止めビスを下地材に螺着することになり、この際、座金の裏面は少なくとも上記複数枚のボード建材の各々の突合端部の各々の表面に同時接触可能な大きさに形成されているから、複数枚のボード建材を一本の止めビスで下地材に同時に螺着固定することができる。【解決手段】頭部１ａ及びネジ軸部１ｂを有して複数枚のボード建材Ｂ・Ｂ・・を下地材Ｔに螺着固定するための止めビス１を備えてなり、上記止めビスのネジ軸部の首下部分に座金２が取り付けられ、座金の裏面２ａは凸面に形成され、止めビスは上記複数枚のボード建材の突合端部間に螺着配置され、座金の裏面は少なくとも上記複数枚のボード建材の各々の突合端部の各々の表面２ｂに同時接触可能な大きさに形成されている。【選択図】図５
2018044284.tif 000002
【特許請求の範囲】
【請求項１】
頭部及びネジ軸部を有して複数枚のボード建材を下地材に螺着固定するための止めビスを備えてなり、上記止めビスのネジ軸部の首下部分に座金が取り付けられ、該座金の裏面は凸面に形成され、該止めビスは上記複数枚のボード建材の突合端部間に螺着配置され、該座金の裏面は少なくとも上記複数枚のボード建材の各々の突合端部の各々の表面に同時接触可能な大きさに形成されたことを特徴とするボード建材用止め具。
【請求項２】
上記座金は円板状に形成され、該座金の表面は球状の凹面に形成され、該座金の裏面は球状の凸面に形成されたことを特徴とする請求項１記載のボード建材用止め具。
【請求項３】
上記座金は多角形板状に形成され、該座金の表面は球状の凹面に形成され、該座金の裏面は球状の凸面に形成されたことを特徴とする請求項１記載のボード建材用止め具。
【請求項４】
上記座金の表面に刻み目が形成されたことを特徴とする請求項１〜３のいずれか１項に記載のボード建材用止め具。
【請求項５】
上記請求項１〜４のいずれか１項に記載のボード建材用止め具を用いたことを特徴とする下地構造。
【発明の詳細な説明】
【技術分野】
【０００１】
本発明は、建築物の内装仕上材として用いられる、例えば、石膏ボード、珪酸カルシウム板等のボード建材を間柱、胴縁等の木製下地材や軽量鉄骨等の鉄骨下地材に固定する際に用いられるボード建材用止め具及びそれを用いた下地構造に関するものである。
【背景技術】
【０００２】
従来、この種のボード建材用止め具として、頭部及びネジ軸部を有する止めビスが用いられている。
【０００３】
しかして、上記止めビスをボード建材を介して下地材に螺着してボード建材を下地材に螺着固定することになる。その後、例えば、内壁工事においては、止めビスの頭部や複数枚のボード建材の各々の突合端部間にパテ処理を施し、ボード建材上に壁紙等の表装材を貼着することになる。
【先行技術文献】
【特許文献】
【０００４】
【特許文献１】実用新案登録第２５２７７９１号
【発明の概要】
【発明が解決しようとする課題】
【０００５】
しかしながら上記従来構造の場合、ボード建材は各別に止めビスで螺着固定することになり、ボード建材の枚数により止めビスの数量がほぼ定まることから、止めビスのねじ込み回数はボード建材の枚数に比例して非常に多くなり、それだけ、ボード建材の施工作業性が低下することがあるという不都合を有している。
【課題を解決するための手段】
【０００６】
本発明はこれらの不都合を解決することを目的とするもので、本発明のうちで、請求項１記載の発明は、頭部及びネジ軸部を有して複数枚のボード建材を下地材に螺着固定するための止めビスを備えてなり、上記止めビスのネジ軸部の首下部分に座金が取り付けられ、該座金の裏面は凸面に形成され、該止めビスは上記複数枚のボード建材の突合端部間に螺着配置され、該座金の裏面は少なくとも上記複数枚のボード建材の各々の突合端部の各々の表面に同時接触可能な大きさに形成されたことを特徴とするボード建材用止め具にある。
【０００７】
又、請求項２記載の発明は、上記座金は円板状に形成され、該座金の表面は球状の凹面に形成され、該座金の裏面は球状の凸面に形成されたことを特徴とするものであり、又、請求項３記載の発明は、上記座金は多角形板状に形成され、該座金の表面は球状の凹面に形成され、該座金の裏面は球状の凸面に形成されたことを特徴とするものであり、又、請求項４記載の発明は、上記座金の表面に刻み目が形成されたことを特徴とするものである。
【０００８】
又、請求項５記載の発明は、上記請求項１〜４のいずれか１項に記載のボード建材用止め具を用いたことを特徴とする下地構造にある。
【発明の効果】
【０００９】
本発明は上述の如く、請求項１又は５記載の発明にあっては、複数枚のボード建材を突き合わせ配置し、止めビスを複数枚のボード建材の突合端部間に配置して止めビスを下地材に螺着することになり、この際、座金の裏面は少なくとも上記複数枚のボード建材の各々の突合端部の各々の表面に同時接触可能な大きさに形成されているから、複数枚のボード建材を一本の止めビスで下地材に同時に螺着固定することができ、かつ、座金は複数枚のボード建材の突き合わせ端部に確実に押圧接触し、ボード建材と下地材との密着性を向上することができ、さらに、座金の裏面は凸面に形成されているから、ボード建材を確実に押さえることができ、一回のねじ込みにより複数枚のボード建材を同時に極めて良好に固定することができ、止めビスのねじ込み回数を軽減することができ、それだけ、ボード建材の施工作業性を著しく向上することができる。
【００１０】
又、請求項２記載の発明にあっては、上記座金は円板状に形成され、座金の表面は球状の凹面に形成され、座金の裏面は球状の凸面に形成されているから、止め具の構造を簡素化することができ、座金の製作を容易に行うことができ、又、請求項３記載の発明にあっては、上記座金は多角形板状に形成され、座金の表面は球状の凹面に形成され、座金の裏面は球状の凸面に形成されているから、止め具の構造を簡素化することができ、座金の製作を容易に行うことができ、又、請求項４記載の発明にあっては、上記座金の表面に刻み目が形成されているから、座金の表面に施されるパテの剥離を防ぐことができ、パテ処理を良好に行うことができ、内装仕上施工を良好に行うことができる。
【図面の簡単な説明】
【００１１】
【図１】本発明の実施の止め具の第一形態例の斜視図である。
【図２】本発明の実施の止め具の第一形態例の断面図である。
【図３】本発明の実施の下地構造の第一形態例の使用状態の斜視図である。
【図４】本発明の実施の下地構造の第一形態例の使用状態の平断面図である。
【図５】本発明の実施の下地構造の第一形態例の使用状態の正面図である。
【図６】本発明の実施の下地構造の第二形態例の使用状態の正面図である。
【図７】本発明の実施の下地構造の第三形態例の使用状態の正面図である。
【図８】本発明の実施の止め具の第二形態例の斜視図である。
【図９】本発明の実施の止め具の第三形態例の断面斜視図である。
【図１０】本発明の実施の止め具の第三形態例の断面図である。
【図１１】本発明の実施の下地構造の第四形態例の正面図である。
【発明を実施するための形態】
【００１２】
図１乃至図１１は本発明の実施の形態例を示し、図１、図２は止め具の第一形態例、図３乃至図５は下地構造の第一形態例、図６は下地構造の第二形態例、図７は下地構造の第三形態例、図８は止め具の第二形態例、図９、図１０は止め具の第三形態例、図１１は下地構造の第四形態例である。
【００１３】
図１、図２の本発明を適用した止め具Ｇの第一形態例において、１は止めビスであって、頭部１ａ及びネジ軸部１ｂを有し、この場合、頭部１ａは皿状に形成され、複数枚のボード建材Ｂ・Ｂ・・を下地材Ｔに螺着固定するネジ構造となっている。なお、丸、トラス、なべ、平など各種の頭部のネジが用いられる。
【００１４】
２は座金であって、上記止めビス１のネジ軸部１ｂの首下部分に取り付けられ、この場合、例えば、ネジ形成加工等により、上記止めビス１のネジ軸部１ｂの首下部分の直径は座金２の貫通穴２ｃの内径より若干径小であってネジ軸部１ｂの外径より径小に形成されて、ネジ軸部１ｂの首下部分に取り付けられ、座金２の裏面２ａは凸面、この場合、球状の凸面に形成され、止めビス１は複数枚、例えば、二枚や三枚、或いは四枚等のボード建材Ｂ・Ｂ・・の突合端部間の合わせ目Ｍに螺着配置され、座金２の裏面２ａは少なくとも上記複数枚のボード建材Ｂ・Ｂ・・の各々の突合端部の各々の表面に同時接触可能な大きさに形成されている。
【００１５】
この場合、上記座金２は円板状に形成され、座金２の表面２ｂは凹面、この場合、球状の凹面に形成され、座金２の裏面２ａは球状の凸面に形成されている。例えば、座金２の裏面２ａに凹型を当てた状態で凸型により座金２の表面２ｂを圧潰加工することにより形成することができる。
【００１６】
この止め具Ｇの実施の第一形態例は上記構成であるから、例えば、図３乃至図５の下地構造の第一形態例の如く、二枚のボード建材Ｂ・Ｂを突き合わせ配置し、止めビス１を二枚のボード建材Ｂ・Ｂの突合端部間の合わせ目Ｍに配置して止めビス１を下地材Ｔに螺着することになり、この際、座金２の裏面２ａは少なくとも上記二枚のボード建材Ｂ・Ｂの各々の突合端部の各々の表面に同時接触可能な大きさに形成されているから、二枚のボード建材Ｂ・Ｂを一本の止めビス１で下地材Ｔに同時に螺着固定することができ、かつ、座金２は二枚のボード建材Ｂ・Ｂの突き合わせ端部に確実に押圧接触し、ボード建材Ｂ・Ｂと下地材Ｔとの密着性を向上することができ、ボード建材Ｂ・Ｂ間の目違いを防ぐことができ、壁紙仕上げ等の内装仕上作業を良好に行うことができ、さらに、座金２の裏面２ａは凸面に形成されているから、ボード建材Ｂ・Ｂを確実に押さえることができ、一回のねじ込みにより二枚のボード建材Ｂ・Ｂを同時に固定することができ、止めビス１のねじ込み回数を軽減することができ、それだけ、ボード建材Ｂの施工作業性を著しく向上することができる。
【００１７】
この場合、上記座金２は円板状に形成され、座金２の表面２ｂは球状の凹面に形成され、座金２の裏面２ａは球状の凸面に形成されているから、止め具Ｇの構造を簡素化することができ、座金２の製作を容易に行うことができる。
【００１８】
また、例えば、図６の下地構造の第二形態例の如く、三枚のボード建材Ｂ・Ｂ・Ｂを突き合わせ配置し、止めビス１を三枚のボード建材Ｂ・Ｂ・Ｂの突合端部間の合わせ目Ｍ・Ｍに配置して止めビス１を下地材Ｔに螺着することになり、この際、座金２の裏面２ａは少なくとも上記三枚のボード建材Ｂ・Ｂ・Ｂの各々の突合端部の各々の表面に同時接触可能な大きさに形成されているから、三枚のボード建材Ｂ・Ｂ・Ｂを一本の止めビス１で下地材Ｔに同時に螺着固定することができ、かつ、座金２は三枚のボード建材Ｂ・Ｂ・Ｂの突き合わせ端部に確実に押圧接触し、ボード建材Ｂ・Ｂ・Ｂと下地材Ｔとの密着性を向上することができ、ボード建材Ｂ・Ｂ間の目違いを防ぐことができ、壁紙仕上げ等の内装仕上作業を良好に行うことができ、さらに、座金２の裏面２ａは凸面に形成されているから、ボード建材Ｂ・Ｂ・Ｂを確実に押さえることができ、一回のねじ込みにより三枚のボード建材Ｂ・Ｂ・Ｂを同時に固定することができ、止めビス１のねじ込み回数を軽減することができ、それだけ、ボード建材Ｂの施工作業性を著しく向上することができる。
【００１９】
また、例えば、図７の下地構造の第三形態例の如く、四枚のボード建材Ｂ・Ｂ・Ｂ・Ｂを突き合わせ配置し、止めビス１を四枚のボード建材Ｂ・Ｂ・Ｂ・Ｂの突合端部間の合わせ目Ｍ・Ｍ・Ｍ・Ｍに配置して止めビス１を下地材Ｔに螺着することになり、この際、座金２の裏面２ａは少なくとも上記四枚のボード建材Ｂ・Ｂ・Ｂ・Ｂの各々の突合端部の各々の表面に同時接触可能な大きさに形成されているから、四枚のボード建材Ｂ・Ｂ・Ｂ・Ｂを一本の止めビス１で下地材Ｔに同時に螺着固定することができ、かつ、座金２は四枚のボード建材Ｂ・Ｂ・Ｂ・Ｂの突き合わせ端部に確実に押圧接触し、ボード建材Ｂ・Ｂ・Ｂ・Ｂと下地材Ｔとの密着性を向上することができ、ボード建材Ｂ・Ｂ間の目違いを防ぐことができ、壁紙仕上げ等の内装仕上作業を良好に行うことができ、さらに、座金２の裏面２ａは凸面に形成されているから、ボード建材Ｂ・Ｂ・Ｂ・Ｂを確実に押さえることができ、一回のねじ込みにより四枚のボード建材Ｂ・Ｂ・Ｂ・Ｂを同時に固定することができ、止めビス１のねじ込み回数を軽減することができ、それだけ、ボード建材Ｂの施工作業性を著しく向上することができる。
【００２０】
図８は止め具Ｇの第二形態例であって、この場合、上記座金２の表面２ｂに複数個の凹状又は凸状の刻み目Ｋ・・が形成された構造となっている。
【００２１】
この止め具Ｇの第二形態例にあっては、上記同様な作用効果を得ることができると共に座金２の表面２ｂに施されるパテの剥離を防ぐことができ、パテ処理を良好に行うことができ、内装仕上施工を良好に行うことができる。
【００２２】
図９、図１０は止め具Ｇの第三形態例を示し、この場合、上記座金２は多角形板状としての四角形状に形成され、座金２の表面２ｂは凹面、この場合、球状の凹面に形成され、座金２の裏面２ａは凸面、この場合、球状の凸面に形成された構造となっており、この第三形態例にあっても、上記形態例と同様な作用効果を得ることができると共に、施工仕様に応じた止め具Ｇを得ることができる。
【００２３】
図１１は下地構造の第四形態例であって、この場合、上記座金２は多角形板状としての四角形状に形成され、座金２の表面２ｂは凹面、この場合、球状の凹面に形成され、座金２の裏面２ａは凸面、この場合、球状の凸面に形成された止め具Ｇが用いられた構造となっており、この第四形態例にあっても、上記形態例と同様な作用効果を得ることができると共に、施工仕様に応じた下地構造を得ることができる。
【００２４】
尚、本発明は上記実施の形態例に限られるものではなく、例えば、止め具Ｇ、止めビス１、座金２の大きさや形態は適宜変更して設計される。又、上記座金２の裏面２ａの凸面の形状及び表面２ｂの凹面の形状は、球状面に限らず、円錐状面に形成することもあり、又、例えば、座金２の輪郭形状としては、三角形、五角形、六角形、菱形、星形等、ボード建材の種類や枚数により変更される。
【００２５】
以上、所期の目的を充分達成することができる。
【符号の説明】
【００２６】
Ｂ    ボード建材
Ｔ    下地材
Ｋ    刻み目
Ｇ    止め具
１    止めビス
１ａ    頭部
１ｂ    ネジ軸部
２    座金
２ａ    裏面
２ｂ    表面
【図１】
2018044284.tif 000003
【図２】
2018044284.tif 000004
【図３】
2018044284.tif 000005
【図４】
2018044284.tif 000006
【図５】
2018044284.tif 000007
【図６】
2018044284.tif 000008
【図７】
2018044284.tif 000009
【図８】
2018044284.tif 000010
【図９】
2018044284.tif 000011
【図１０】
2018044284.tif 000012
【図１１】
2018044284.tif 000013